(57)【要約】【課題】誤操作によるユーザ作成データ破棄の可能性が高い場合のみ、そのデータを復活できる手段を設けて、操作性の改善とセキュリティの両立を図る。【解決手段】キー入力情報を元に表示部にて作成中のメールを表示している状態で、入力部から「終了キー」が入力されると機能終了制御部は「終了するか？」の確認画面を表示する。ユーザが「ＹＥＳ」を選択したら通常の機能終了を行い作成中のメールを破棄し、「終了キー」が再度入力されたときは、入力メール内容をメール保存部に保存して機能を終了する。その後メール作成を開始したときに、保存メールがない場合は新規のメール作成を開始し、保存メールがある場合はユーザに「保存メールを復活するか？」を確認する。ユーザが「ＹＥＳ」を選択したら、保存メールを取り込んだ状態でメールの作成を開始し、「ＮＯ」を選択したら、保存メールを削除して新規メール作成を開始する。【選択図】図２
2008153850.tif 000002
【特許請求の範囲】
【請求項１】
文字入力機能を有する携帯型移動通信端末装置において、
キー入力部からの文字データ入力中に「終了キー」の押下を検出したとき、表示部に終了確認画面を表示する手段と、
該終了確認画面表示中に「終了肯定キー」の押下を検出したとき、入力された前記文字データを破棄するとともに文字データ入力処理を終了する手段と、
前記終了確認画面表示中に再度前記「終了キー」の押下を検出したとき、入力された前記文字データを記憶部に保存して前記文字データ入力処理を終了する手段と、
を有していることを特徴とする携帯型移動通信端末装置。
【請求項２】
前記キー入力部から新規に文字入力開始指示が入力されたとき、前記記憶部に前記文字データが保存されているか否かを確認する手段と、
前記記憶部に前記文字データが保存されているとき、前記表示部に該文字データの復活確認画面を表示する手段と、
該復活確認画面表示中に「復活肯定キー」の押下を検出したとき、前記記憶部に保存されている文字データを読み出して前記表示部に表示し、該表示した文字データに対する文字入力処理を再開する手段と、
前記復活確認画面表示中に「復活否定キー」の押下を検出したとき、前記記憶部に保存されている文字データを廃棄して新規の文字入力を開始する手段と、
を有していることを特徴とする請求項１に記載の携帯型移動通信端末装置。
【請求項３】
前記キー入力部から入力される文字データは、電子メール作成時のデータであることを特徴とする請求項１または２に記載の携帯型移動通信端末装置。
【請求項４】
携帯型移動通信端末装置の制御部（コンピュータ）に、キー入力部からの文字データ入力中に「終了キー」の押下を検出したとき、表示部に終了確認画面を表示する処理と、該終了確認画面表示中に「終了肯定キー」の押下を検出したとき、入力された前記文字データを破棄するとともに文字データ入力処理を終了する処理と、前記終了確認画面表示中に再度前記「終了キー」の押下を検出したとき、入力された前記文字データを記憶部に保存して前記文字データ入力処理を終了する処理を実行させることを特徴とする文字データ作成プログラム。
【請求項５】
前記キー入力部から新規に文字入力開始指示が入力されたとき、前記記憶部に前記文字データが保存されているか否かを確認する処理と、前記記憶部に前記文字データが保存されているとき、前記表示部に該文字データの復活確認画面を表示する処理と、該復活確認画面表示中に「復活肯定キー」の押下を検出したとき、前記記憶部に保存されている文字データを読み出して前記表示部に表示し、該表示した文字データに対する文字入力処理を再開する処理と、前記復活確認画面表示中に「復活否定キー」の押下を検出したとき、前記記憶部に保存されている文字データを廃棄して新規の文字入力を開始する処理を実行させることを特徴とする請求項４に記載の文字データ作成プログラム。
【請求項６】
前記キー入力部から入力される文字データはメールの内容であり、前記文字データ入力プログラムは電子メール作成プログラムであることを特徴とする請求項４または５に記載の文字データ作成プログラム。
【発明の詳細な説明】
【技術分野】
【０００１】
本発明は、電子メール作成等の文字入力機能を有する携帯電話等の移動通信端末装置に関し、特にユーザが作成した文字データの保存管理技術に関する。
【背景技術】
【０００２】
電子メール機能を有する携帯電話端末等の移動通信端末装置でのメール作成時に、誤操作により作成中のメールを削除してしまうことがある。理由として、一般的な携帯電話端末においては、「終話キー」を押すことでメール作成を終了し作成中のデータを破棄するという仕様が多いため、メールの文字入力に使用する「数字キー」と物理的に隣接している「終話キー」を誤って押してしまう可能性が高いからである。
【０００３】
携帯電話端末はパソコン等と異なり小さいスペースに多くのキーが密集しており、かつ少ないキーにいろいろな機能を割り当てざるを得ないため、押し間違いによる誤操作が起きやすいという問題がある。特に数字を入力するキーと機能を終了するキーは物理的に近くに配置されていることが多いため、メール作成中に誤って機能を終了させてしまいユーザが意図しないうちに作成したメールが破棄されてしまうことがあるという問題がある。
【０００４】
これを解決する手段として、通常はメール作成終了時にユーザに対して「終了してもよいか？」の確認画面を表示してユーザによる確認を促す仕様となっていることが多いが、一般的にメール作成時には同一の「数字キー」を連続して押下するケースが多いため、確認画面を見ることなく「終話キー」を連続押下してしまう場合があり、ユーザの意図に反して作成中のメールが破棄されてしまうことがある。
【０００５】
このような問題を解決する手段として、特許文献１では、キー入力により作成中のメールの文章等の内容をテキストデータとして操作環境記憶部に記憶しておき、メール入力最中に誤って終了処理を実行するキーを押下することによって確認メッセージが表示されている状態のとき、誤って「Ｙｅｓ」もしくは終了処理実行キーを選択して押下することにより入力された内容が破棄され待ち受け画面に戻ってしまった場合に、キー操作部の戻り処理キーもしくは呼び出しキーを押下することにより、操作環境記憶部に記憶されているメールの文章等の内容を再現可能にして、例えば作成中のメール文面を誤って強制終了してしまった場合であっても、この作成中のメール文面を再度呼び出し可能にする技術が記載されている。
【０００６】
【特許文献１】特開２００５−０２６７５１号公報（段落０００４，００５８，００５９）
【発明の開示】
【発明が解決しようとする課題】
【０００７】
特許文献１に記載の発明によれば、ユーザによる誤操作等による中断によって破棄された処理内容を、一度のキー操作で処理中断直前の状態に戻すことが可能となり、ユーザがメールの再入力等の同じ処理を繰り返す煩わしさから開放され、キー入力の効率化を図ることが可能であるが、特許文献１に記載の発明では、終了処理を実行するキーを押下して確認メッセージが表示されている状態のときにユーザが意図して「Ｙｅｓ」キーを押下して終了することにより作成中のメールを破棄した場合であっても、そのデータが操作環境記憶部に保存されてしまうという問題がある。
【０００８】
特にセキュリティ等を考慮した場合、このようなユーザが意図して終了することにより破棄したつもりの作成中の不要のデータが記憶部に残されてしまうということは甚だ不都合なことであり、そのため、このバックアップされている作成中のデータを削除する手段を別途設ける必要が生じ、また、この不要のデータを削除するための余分の操作が必要となるという問題がある。
【０００９】
本発明の目的は、上記問題点に鑑み、ユーザによる機能終了手段を識別し、誤操作によるユーザ作成データ破棄の可能性が高い場合のみ、そのデータを復活できる手段を設けることにより、操作性の改善とセキュリティを両立させることにある。
【課題を解決するための手段】
【００１０】
本発明は、文字入力機能を有する携帯型移動通信端末装置において、キー入力部から文字データを入力中に「終了キー」の押下を検出したとき、表示部に終了確認画面を表示する手段と、該終了確認画面表示中に「終了肯定キー」の押下を検出したとき、入力された前記文字データを破棄するとともに文字データ入力処理を終了する手段と、前記終了確認画面表示中に再度前記「終了キー」の押下を検出したとき、入力された前記文字データを記憶部に保存して前記文字データ入力処理を終了する手段を有していることを特徴としている。
【００１１】
また、前記キー入力部から新規に文字入力開始指示が入力されたとき、前記記憶部に前記文字データが保存されているか否かを確認する手段と、前記記憶部に前記文字データが保存されているとき、前記表示部に該文字データの復活確認画面を表示する手段と、該復活確認画面表示中に「復活肯定キー」の押下を検出したとき、前記記憶部に保存されている文字データを読み出して前記表示部に表示し、該表示した文字データに対する文字入力処理を再開する手段と、前記復活確認画面表示中に「復活否定キー」の押下を検出したとき、前記記憶部に保存されている文字データを廃棄して新規の文字入力を開始する手段を有していることを特徴としている。
【００１２】
また本発明の文字データ作成プログラムは、携帯型移動通信端末装置の制御部（コンピュータ）に、キー入力部からの文字データ入力中に「終了キー」の押下を検出したとき、表示部に終了確認画面を表示する処理と、該終了確認画面表示中に「終了肯定キー」の押下を検出したとき、入力された前記文字データを破棄するとともに文字データ入力処理を終了する処理と、前記終了確認画面表示中に再度前記「終了キー」の押下を検出したとき、入力された前記文字データを記憶部に保存して前記文字データ入力処理を終了する処理を実行させることを特徴としている。
【００１３】
また該プログラムは、前記キー入力部から新規に文字入力開始指示が入力されたとき、前記記憶部に前記文字データが保存されているか否かを確認する処理と、前記記憶部に前記文字データが保存されているとき、前記表示部に該文字データの復活確認画面を表示する処理と、該復活確認画面表示中に「復活肯定キー」の押下を検出したとき、前記記憶部に保存されている文字データを読み出して前記表示部に表示し、該表示した文字データに対する文字入力処理を再開する処理と、前記復活確認画面表示中に「復活否定キー」の押下を検出したとき、前記記憶部に保存されている文字データを廃棄して新規の文字入力を開始する処理を実行させることを特徴としている。
【００１４】
本発明の文字データ作成手段及びプログラムは、携帯型移動通信端末装置における電子メール作成手段あるいはメール作成プログラムに適用することが可能であり、より効果的なメール作成を実現できる。
【００１５】
本発明では、誤操作による機能終了の可能性が高いか否かの判断をユーザによる機能終了操作を識別して判定し、誤操作と判断したときには入力文字データを保存するが、意図して終了したと判断したときには入力文字データを廃棄するようにしている。具体的には、文字データ入力中に「終了キー」が押下されたとき終了確認画面を表示し、ユーザがこの終了確認画面に対する「終了肯定キー」を押下したときは、ユーザが意図して終了したものと判断して入力された文字データを全て廃棄し、再度「終了キー」が押下されたときは、誤操作による文字データ入力処理の終了の可能性が高いと判断して、ユーザ作成データを破棄せずに保存することにより入力データを復活できるようにする。
【００１６】
また本発明の構成によれば、同じユーザ操作による終了の場合でも、操作手順に応じて作成中データを保持するか破棄するかを変えることができるので、データ復活を行うかどうかをユーザが選択する手段として利用することも可能であり、ユーザの意図に沿ったデータ復活、廃棄を簡単な操作および構成で実現できる効果もある。
【発明の効果】
【００１７】
本発明によれば、ユーザの誤操作による終了処理によってユーザが作成中のデータが破棄された可能性が高いと思われる場合であっても、作成中のデータを容易に復活することが可能であるので、再度データ作成を行う手間を省くことができる。
【００１８】
また、ユーザの意思で作成中のデータを破棄した可能性が高いと思われる場合には、データの復活を行わないことで不要なデータを保持する必要がなくなり、情報のセキュリティを高めることができる。
【発明を実施するための最良の形態】
【００１９】
図１は、本発明の実施形態を示す携帯電話装置の要部ブロック図である。なお本携帯電話装置は、無線通信等の携帯電話機本来の機能と関連する構成も当然備えているが、図では、本発明と関連する機能ブロックのみを抽出して示している。
【００２０】
図１において、入力部１は、数字，仮名，ローマ字等の文字やマークに対応した複数個のダイヤルキー、ファンクションキー、カーソルキーなどからなるキー操作部を備えており、ユーザによりこれらのキーが操作されたとき対応する文字データあるいは制御データ等が出力される。
【００２１】
制御部２は、本携帯電話装置が有している各種機能を制御するＣＰＵを構成しているが、本発明の実施形態と関連する機能として、入力部１から入力されたキーの情報を判定するキー制御部２１と、キー制御部２１にて判定したキー情報を元に機能の終了を制御する機能終了制御部２２と、キー制御部２１で判定したキー情報を元に画面表示内容を決定し、表示部４を経由して画面表示を行う表示文字制御部２３を備えている。
【００２２】
記憶部３には、本携帯電話装置が有している電子メール機能を含む各種機能をＣＰＵが制御して動作させるために、メール作成プログラムを含む各種機能プログラムが格納されており、また外部から取り込んだ各種データ等が記憶されている。さらに本発明の実施形態と関連する機能として、入力部１からキー入力されたメール（文字データ）を保存するメール保存部３１が設けられている。表示部４はＬＣＤ等によって構成され、表示文字制御部２３によって制御されて各種画面表示を行う。
【００２３】
図２は、本実施形態によるメール作成時の画面遷移イメージを合わせて示すフローチャートである。次に図１、図２を参照して本実施形態の動作の詳細について説明する。
【００２４】
まず、図２のステップＡ１はユーザによるメール作成画面を示しており、入力部１からのキー入力情報を元に表示部４にて作成中のメールを表示している。この状態で入力部１からの「終了キー」が入力されると、機能終了制御部２２は表示文字制御部２３経由で「終了するかどうか」の確認画面を表示する（ステップＡ２）。このときユーザが「ＹＥＳ」を選択する操作を行った場合には、通常の機能終了を行うとともに作成中のメールは破棄する（ステップＡ４）。
【００２５】
またステップＡ２でユーザが「ＮＯ」を選択する操作を行った場合は、終了処理を行わず元のメール作成中状態（ステップＡ１）に戻ってメール作成機能を継続させる。一方、ステップＡ２において、再び入力部１から「終了キー」が入力された場合には、機能終了制御部２２は入力中のメール内容をメール保存部３１に保存した状態で機能を終了する（ステップＡ３）。
【００２６】
その後、ユーザが入力部１からのキー操作によりメール作成を開始すると（ステップＡ５）、機能終了制御部２２はメール保存部３１にアクセスして保存されている入力メールがあるか否かを判定する（ステップＡ６）。保存メールがない場合は従来どおり新規の状態でメール作成を開始する（ステップＡ７）。保存メールがある場合はユーザに対して表示文字制御部２３経由で「保存メールを復活するか？」を確認するための表示を行う（ステップＡ８）。
【００２７】
この表示に対して、ユーザが「ＮＯ」を選択する操作を行った場合は、保存メールの読み出しは行わず、新規の状態でメール作成を開始する（ステップＡ７）。またこのときメール保存部３１経由で保存メールの削除を行う。一方、ステップＡ８の表示に対してユーザが「ＹＥＳ」を選択する操作を行った場合は、機能終了制御部２２はメール保存部３１経由で保存メールを取得し、表示文字制御部２３経由で表示部４に表示することにより、保存メールの内容を取り込んだ状態でメールの作成を開始する（ステップＡ９）。
【００２８】
以上の流れにより、ユーザがメール作成中に誤って「終了キー」を連続して押下したためにメール作成が終了してしまったケース（ステップＡ１→ステップＡ２→ステップＡ３）については、次回メール作成を起動することにより、終了前の状態（ステップＡ１）へ戻ることが可能となる。一方、ユーザがメール作成の終了を確認のうえで指示した場合には、入力されたメール内容は削除されてメール保存部３１には保存されないので、セキュリティを高めることができる。
【００２９】
上記実施例では、「終了キー」が連続して押された場合を、ユーザがメール作成中に誤って「終了キー」を連続して押下した可能性が高い場合であると判定したが、ユーザが、メールの作成を一時中断してこの携帯電話機の別の機能（例えば電話機能等）を利用するような場合、「終了キー」を連続して押下することにより作成中のメールを保存部３１に保存しておき、別の機能の利用が終了後に保存していたメールを読み出してメール作成を再開する方法として利用することもできる。
【００３０】
あるいは、ユーザがメール作成を終了する際に、セキュリティを考慮して、作成中のメールを保存するかあるいは削除するかを選択する手段として利用し、ユーザがあらかじめ保存すると設定した場合のみ「終了キー」を連続押下してデータを保存するという実現方法も可能である。
【００３１】
また上記実施形態では、メール作成時の画面を対象として説明したが、本発明は、メールに限らず文字入力を行うケース全般（メモ等）に対して適用することが可能である。
【００３２】
また、上記実施形態で説明した文字データの作成処理動作を実行するためのプログラムを記憶部３内に格納し、コンピュータとしての機能を有する制御部２が該プログラムを実行することにより上記実施例で説明した動作を行う形態として実現することができる。
【図面の簡単な説明】
【００３３】
【図１】本発明の実施形態を示す携帯電話装置の要部ブロック図である。
【図２】本実施形態によるメール作成時の画面遷移イメージを示すフローチャートである。
【符号の説明】
【００３４】
１  入力部
２  制御部
３  記憶部
４  表示部
２１  キー制御部
２２  機能終了制御部
２３  表示文字制御部
３１  メール保存部
【図１】
2008153850.tif 000003
【図２】
2008153850.tif 000004